(57)【特許請求の範囲】
【請求項１】
直方体形状の前面部の後面に左右一対の控え部からなる嵌合部を突設し、前記各控え部は、後脚部の後端の外側に第一の縦条部、内側に第二の縦条部をそれぞれ設けてなり、前記前面部の後面には前記一対の後脚部及び向かい合う一対の第二の縦条部によって縦方向の嵌合空部を形成し、第一の縦条部は、後脚部の外側面部を、上端から中央部分程度にまで上下方向の縦溝を設けることにより形成されるとともに、前記縦溝の下端に段部が形成されている本体ブロックと、
直方体形状の後面部の前面に前記本体ブロックの嵌合空部に嵌着することができる嵌入部を突設し、前記嵌入部は、先端部両側に嵌入片部を縦方向に突設した前脚部を有し、前記後面部と前記嵌入片部との間に嵌入溝が形成されてなる控えブロックとにおいて、
本体ブロック同士が前側で相互に隣接して布積みされ、且つ控えブロックの下半部が隣合う本体ブロック間に、上半部が上段の本体ブロックの中央に位置して山側となるように配置され、
控えブロックの嵌入片部の下半部が隣合う本体ブロックの前記縦溝にそれぞれ嵌着されて前記段部に載り、控えブロックの嵌入部の上半部が上段に積まれている本体ブロックの嵌合空部に嵌入されて組み付いていることを特徴とする構築用コンクリートブロックを使用した擁壁。
【発明の詳細な説明】
【０００１】
【発明の属する技術分野】
本発明は、河川の護岸用として、若しくは道路、軌道または土地造成用の法面や土留め等に積み上げられる構築用コンクリートブロックを使用した擁壁に関するものである。
【０００２】
【従来の技術】
道路脇の法面や河川や海岸の堤防の法面には、侵食や土砂崩れ等を防止する目的で、コンクリートブロックを積み上げて擁壁を構築することが一般に行われており、このブロックは、上記した目的を達成するために、一つ一つが大型で縦鉄筋や胴込めコンクリートをブロックの隙間に構築現場で充填して相互に強固に組み付けられている。
【０００３】
周知のように、ブロックの積み上げには所謂布積みといわれるものが多く取り入れられている。これは横一列に積まれたブロック群の上に、ブロック半個分だけ左右にずらして上位のブロック群を横一列に積み上げる方法である。
【０００４】
そして、上下のブロック間には鉄筋を通したり、胴込めコンクリートを充填して、組付き強度を確保するようになっている。
【０００５】
【発明が解決しようとする課題】
しかしながら、現場で鉄筋を配したり胴込めコンクリートを打設するのは、構築作業においてそれだけ手間のかかるものになっており、この問題を解消するため、鉄筋を用いないで、また胴込めコンクリートを打設しない空積み方式も開発されている。
【０００６】
例えば特開２０００−８７３３１号公報に開示された空組擁壁は、同一形状のブロックを、向きを逆にして前後に対向組み合わせし、且つ布積み形態で構築したものであるが、前後間の組付きは脚によるものだけであり、しかも脚の間に大きな隙間が形成されるので、強度に不安を残すものであった。
【０００７】
この点、特開２００１−１２３４６６号公報に開示された擁壁用コンクリートブロックは、形状の異なるブロックを前後に対向組み合わせして布積みするものであり、前後のブロックの組付き強度は極めて高いものであるが、形状が複雑であるために型枠の成形に手間と費用がかかり、成形されたブロックの重量が嵩み、組立て時の位置合せに手間がかかるといった不満があった。
【０００８】
よって本発明は、上記した欠点、問題点を解決するために提案されたもので、組付き強度を確保しながらも、形状がシンプルで、構築が簡単に達成できるようにすることを目的とする。
【０００９】
【課題を解決するための手段】
前記目的を達成させるため本発明は、直方体形状の前面部の後面に左右一対の控え部からなる嵌合部を突設し、前記各控え部は、後脚部の後端の外側に第一の縦条部、内側に第二の縦条部をそれぞれ設けてなり、前記前面部の後面には前記一対の後脚部及び向かい合う一対の第二の縦条部によって縦方向の嵌合空部を形成し、第一の縦条部は、後脚部の外側面部を、上端から中央部分程度にまで上下方向の縦溝を設けることにより形成されるとともに、前記縦溝の下端に段部が形成されている本体ブロックと、直方体形状の後面部の前面に前記本体ブロックの嵌合空部に嵌着することができる嵌入部を突設し、前記嵌入部は、先端部両側に嵌入片部を縦方向に突設した前脚部を有し、前記後面部と前記嵌入片部との間に嵌入溝が形成されてなる控えブロックとにおいて、本体ブロック同士が前側で相互に隣接して布積みされ、且つ控えブロックの下半部が隣合う本体ブロック間に、上半部が上段の本体ブロックの中央に位置して山側となるように配置され、控えブロックの嵌入片部の下半部が隣合う本体ブロックの前記縦溝にそれぞれ嵌着されて前記段部に載り、控えブロックの嵌入部の上半部が上段に積まれている本体ブロックの嵌合空部に嵌入されて組み付いていることを特徴とする構築用コンクリートブロックを使用した擁壁に関するものである。
【００１０】
【発明の実施の形態】
以下に本発明の実施の形態を図面に基いて説明すると、本発明における擁壁１は、構築した場合に表面側である前面に位置する本体ブロック２と、法面側、即ち山側である後面側に位置する控えブロック３とを一体的に結合させ、且つ各本体ブロック２は、横一列に設置されたブロック群の上に、各本体ブロック２の半個分だけ左右方向に位置をずれさせて上段のブロック群を横一列に積み上げる布積みの形態である（図１、９、１０、１１参照）。
【００１１】
前記コンクリート製の本体ブロック２は、厚板状であって直方体形状の前面部２１の後面に嵌合部２２を突設した構成で、この嵌合部２２は、前面部２１の後面に左右一対の控え部２３を突設することで形成したものである。
【００１２】
前記各控え部２３は、後脚部２４の後端の外側に第一の縦条部２５、内側に第二の縦条部２６を設けた構成で、前面部２１の後面にはこの一対の後脚部２４及び向かい合う一対の第二の縦条部２６によって縦方向で鉤状の嵌合空部２７が形成される。
【００１３】
また、第一の縦条部２５は、後脚部２４の外側面部を、上端から中央部分程度にまでかけて上下に縦溝２８を設けて切欠くことにより形成されるもので、この縦溝２８の下端に段部２９が形成される（図２R>２、３、４、５参照）。
【００１４】
前記コンクリート製の控えブロック３は、厚板状であって直方体形状の後面部３１の前面に嵌入部３２を突設したものであり、この嵌入部３２は、後面部３１の中央に前脚部３３を突設し、この前脚部３３の先端部両側に嵌入片部３４を縦方向に突設したものであり、後面部３１とこの嵌入片部３４との間に嵌入溝３５が形成される（図６、７、８参照）。
【００１５】
上述した本体ブロック２と控えブロック３の構成によって擁壁１を構築するには、多数の本体ブロック２を隣合う本体ブロック２同士の側面が接触する形態で横一列に設置してブロック列を形成し、法面側である後面側にクレーンなどで吊り上げて支持している控えブロック３における嵌入部３２の嵌入片部３４の一方を、隣合う一方の本体ブロック２の嵌合部２２に上方から嵌着させると共に、嵌入片部３４の他方を、隣合う他方の本体ブロック２の嵌合部２２に上方から嵌着させるのである。
【００１６】
嵌入部３２と嵌合部２２とのこの嵌着は、具体的には、控えブロック３の嵌入片部３４が本体ブロック２の縦溝２８内に上方から嵌入すると同時に、本体ブロック２の第一の縦条部２５が控えブロック３の嵌入溝３５内に下方から嵌入することにより達成されるもので、控えブロック３は、左右に並列する二つの本体ブロック２の間にあってこの両者に強固に組み付くことになる。
【００１７】
また、本体ブロック２の第一の縦条部２５は、後脚部２４の外側面部を上端から中央部分である高さの一部にかけて切欠かれているだけであるから、上述したように控えブロック３の嵌入部３２を本体ブロック２の嵌合部２２に上方から嵌着させると、半分まで嵌入した時点で控えブロック３の嵌入片部３４下端が前記段部２９に載って支持される。即ち、控えブロック３は、二つの本体ブロック２に組み付いた状態においては、上半分が本体ブロック２の裏面において突出した姿勢にある（特に図１参照）。
【００１８】
このようにして最下段の並列する本体ブロック２の各隣接部分に控えブロック３を嵌着したなら、この最下段の本体ブロック２群の上に、ブロック半個分だけ左右にずらして下から二段目の本体ブロック２群を横一列に積み上げ、布積みにして同様の構築を行うことになる。
【００１９】
この場合、控えブロック３の上方に突出した上半分は、直上に配置される本体ブロック２の嵌合空部２７内に組み付き、控えブロック３の嵌入部３２である前脚部３３と嵌入片部３４の上半部が、本体ブロック２の後脚部２４と第二の縦条部２６との間で確固と挟持される。
【００２０】
上記のようにして下から順に本体ブロック２、控えブロック３を所望の段数まで積み上げると、本体ブロック２と控えブロック３は夫々の嵌合部と嵌入部とにおいて相互に嵌着して、上下左右の本体ブロック２と控えブロック３とが強固に組付き、極めて強度の高い擁壁１を構築することができる。
【００２１】
そして、前記のように本体ブロック２と控えブロック３とにより構築された擁壁１と法面との間に、砕石、栗石、礫等の充填材ａを上から投入して空積みすることになる。
【００２２】
以上、本発明を図面の実施例に基づいて説明したが、本発明は上記した実施例に限定されるものではなく、特許請求の範囲に記載の構成を変更しない限りどのようにでも実施することができる。
【００２３】
【発明の効果】
以上要するに本発明によれば、本体ブロック同士が前側で相互に隣接して布積みされ、且つ控えブロックの下半部が隣合う本体ブロック間に、上半部が上段の本体ブロックの中央に位置して山側となるように配置され、控えブロックの嵌入片部の下半部が隣合う本体ブロックの前記縦溝にそれぞれ嵌着されて段部に載り、控えブロックの嵌入部の上半部が上段に積まれている本体ブロックの嵌合空部に嵌入されて組み付いて、控えブロックが左右と上側の本体ブロックに一体的に結合されるので、きわめて強度が高いばかりでなく、鉄筋を配したりコンクリートを別途打設したりする必要はないので施工の簡略化が図れ、構築時の各ブロックの位置合せも容易であり、各ブロックの形状もシンプルで成形が容易である等、多くの優れた効果を奏する。
【図面の簡単な説明】
【図１】本発明のブロックの構築状態を示す斜視図である。
【図２】本体ブロックの斜視図である。
【図３】本体ブロックの平面図である。
【図４】本体ブロックの側面図である。
【図５】図４のＡ−Ａ断面図である。
【図６】控えブロックの斜視図である。
【図７】控えブロックの側面図である。
【図８】図７のＢ−Ｂ断面図である。
【図９】本発明のブロックを積んだ状態の一実施例を示す平面断面図である。
【図１０】本発明のブロックを積んだ状態の一実施例を示す一部断面正面図である。
【図１１】本発明のブロックを積んだ状態の一実施例を示す一部断面側面図である。
【符号の説明】
１  擁壁
２  本体ブロック
２１  前面部
２２  嵌合部
２３  控え部
２４  後脚部
２５  第一の縦条部
２６  第二の縦条部
２７  嵌合空部
２８  縦溝
２９  段部
３  控えブロック
３１  後面部
３２  嵌入部
３３  前脚部
３４  嵌入片部
３５  嵌入溝
【図１】
0003701588.tif 000002
【図２】
0003701588.tif 000003
【図３】
0003701588.tif 000004
【図４】
0003701588.tif 000005
【図５】
0003701588.tif 000006
【図６】
0003701588.tif 000007
【図７】
0003701588.tif 000008
【図８】
0003701588.tif 000009
【図９】
0003701588.tif 000010
【図１０】
0003701588.tif 000011
【図１１】
0003701588.tif 000012